【事件の表示】
　特許第３１８７６０４号「化粧料」の請求項１及び２に係る特許に対する特許異議の申立てについて、次のとおり決定する。
【結　論】
　訂正を認める。
　特許第３１８７６０４号の請求項１及び２に係る特許を維持する。
【理　由】
１．手続きの経緯
　本件特許第３１８７６０４号の請求項１及び２に係る発明は、平成５年５月１０日に特許出願され、平成１３年５月１１日に特許権の設定の登録がされた。その後、森敏生及び池野耕司により特許異議の申立てがされ、特許取消し理由が通知された後、意見書提出の指定期間内である平成１４年７月１５日に明細書の訂正の請求がされた。
　
 ２．訂正請求について
（１）訂正事項
　ａ．特許明細書の特許請求の範囲を次のように訂正する。（下線部が訂正個所）
「（請求項１）次の成分（Ａ）〜（Ｃ）：
（Ａ）葛根抽出物、
（Ｂ）
水溶性非イオン性
（Ｃ）キサンタンガム、カラギーナン
、
皮膚
（請求項２）次の成分（Ａ）〜（Ｄ）：
（Ａ）葛根抽出物、
（Ｂ）
水溶性非イオン性
（Ｃ）キサンタンガム、カラギーナン
、
（Ｄ）ポリオール
を含有する
皮膚
　
　ｂ．特許明細書中、第２頁の段落「０００４」を次のように訂正する。
「すなわち、本発明は、次の成分（Ａ）〜（Ｃ）：
（Ａ）葛根抽出物、
（Ｂ）
水溶性非イオン性
（Ｃ）キサンタンガム、カラギーナン
、
皮膚
　
　ｃ．特許明細書中、第２頁の段落「０００５」を次のように訂正する。
「本発明で用いられる（Ａ）成分の葛根抽出物としては、葛根（ＰＵＥＲＡＲＩＡＥ　ＲＡＤＩＸ）を水、エタノール、メタノール、１，３−ブチレングリコール、プロピレングリコール等の溶媒又はこれらの混合溶媒で抽出して得られる抽出液、当該抽出液を乾燥して得られる乾燥粉
末
　
　ｄ．特許明細書中、第２頁の段落「００１１」を次のように訂正する。
「（Ｃ）成分は、キサンタンガム、カラギーナン
、
　
（２）訂正の適否
　ａ．訂正事項ａについて
　請求項１及び２の訂正は、「化粧料」を「皮膚化粧料」に限定すると共に、（Ｂ）成分の「界面活性剤」を「水溶性非イオン性界面活性剤」に限定し、成分（Ｃ）から「ゼラチン」を削除するものであるので、特許請求の範囲の減縮に該当する。そして、「皮膚化粧料」とすることは、明細書の段落「０００２」の「葛根抽出物は、・・美白化粧料に配合され、・・・使用感に優れた化粧料が望まれていた。」、段落「００１６」の「葛根抽出物の有する美白作用を効率よく発揮させることができる」及び実施例の記載（実施例１の「化粧水」及び実施例２の「美容液」）から、また「水溶性非イオン性界面活性剤」とすることは、明細書の段落「０００９」の「界面活性剤としては水溶性の非イオン性界面活性剤が好ましく」の記載及び実施例１、２の記載からみて、明細書の記載事項の範囲内での訂正と認められる。
　
　ｂ．訂正事項ｂについて
　訂正事項ｂは、特許請求の範囲の減縮に伴って、発明の詳細な説明の欄の対応箇所の整合を図るものであるので、「明りょうでない記載の釈明」に該当し、明細書の記載事項の範囲内での訂正と認められる。
　
　ｃ．訂正事項ｃについて
　訂正事項ｃは、葛根抽出物の意味を不明りょうにしていた記載を削除するものであるので、明りょうでない記載の釈明に該当し、当初明細書の段落「０００６」の「ここで、葛根の特に好ましい抽出法としては・・９０〜１００ｇ程度が得られる。」及び実施例１、２の記載を根拠とするものである。
　
　ｄ．訂正事項ｄについて
　訂正事項ｄは、特許請求の範囲の減縮に伴って、発明の詳細な説明の欄の対応箇所の整合を図るものであるので、「明りょうでない記載の釈明」に該当し、明細書の記載事項の範囲内での訂正と認められる。
　
　したがって、本件訂正は、特許法第１２０条の４第２項ただし書き並びに同条第３項で準用する平成６年法律第１１６号による改正前の特許法法第１２６条第１項ただし書き及び同条第２項の規定に適合するので、訂正を認める。
　
 ３．特許異議の申立てについての判断
（１）本件発明
  上記２．に示したように本件訂正は認められるから、本件特許の請求項１及び２に係る発明は、訂正明細書の特許請求の範囲の請求項１及び２に記載された次のとおりのものである。
 （請求項１）次の成分（Ａ）〜（Ｃ）：
（Ａ）葛根抽出物、
（Ｂ）水溶性非イオン性界面活性剤
（Ｃ）キサンタンガム、カラギーナン、キチン、ヒアルロン酸、コンドロイチン硫酸ナトリウムの群から選ばれる水溶性多糖類を含有する皮膚化粧料。
　
（請求項２）次の成分（Ａ）〜（Ｄ）：
（Ａ）葛根抽出物、
（Ｂ）水溶性非イオン性界面活性剤
（Ｃ）キサンタンガム、カラギーナン、キチン、ヒアルロン酸、コンドロイチン硫酸ナトリウムの群から選ばれる水溶性多糖類、
（Ｄ）ポリオール
を含有する皮膚化粧料。
　 
（２）異議申立の理由の概要
　特許異議申立人森敏生は、本件の請求項１及び２に係る発明は、甲第１号証〜甲第３号証に記載された発明又はそれに基づいて容易に発明できたものであるので特許法第２９条の規定に違反し、また本件請求項の記載は、明細書の発明の詳細な説明の欄の記載と矛盾しており、特許法第３６条に規定する要件を満たさないので、特許法第１１３条第１項第２号及び同第４号の規定に取り消すべきものである旨を主張している。
　特許異議申立人池野耕司は、本件の請求項１及び２に係る発明は、甲第１号証に記載された発明であり、また甲第２号証、甲第４号証及び甲第５号証に記載された発明に基づいて容易に発明できたものであるので特許法第２９条の規定に違反し、特許法第１１３条第１項第２号の規定に取り消すべきものである旨を主張している。
   
（３）刊行物に記載された発明
　当審で通知した特許取消し理由に引用した刊行物には、それぞれ以下の事項が記載されている。
  
刊行物１：特開平２−４８５１７号公報（特許異議申立人森敏生の甲第１号証、特許異議申立人池野耕司の甲第１号証）　
　刊行物１には「アオギリ、…（中略）…、カッコン、…（中略）…、ハクヨウからなる群から選ばれる生薬抽出物の一種又は二種以上を含有してなる養毛料」（特許請求の範囲（１））に係る発明が記載されている。
　また、第７頁右下欄第９〜第１８行には、実施例２０として以下に示すヘアートニックの処方が記載されている。
（１）オウロの７０％エタノール抽出物（乾燥品）　０．０５　
（２）カッコンの９０％エタノール抽出物（乾燥品）１．０　
（３）ゴミシのメタノール抽出物（乾燥品）　　　　０．５　
（４）ジメチルラウリルアミンオキシド　　　　　　０．３　
（５）ラウリル硫酸ナトリウム　　　　　　　　　　０．０５　
（６）プロピレングリコール　　　　　　　　　　　５．０　
（７）ヒアルロン酸ナトリウム　　　　　　　　　　０．０１　
（８）７５％エタノール　　　　　　　　　　　　　残余　
　
刊行物２：特開平１−９６１０６号公報（特許異議申立人森敏生の甲第２号証、特許異議申立人池野耕司の甲第４号証）
　刊行物２に記載の発明は、その特許請求の範囲に記載されているように、「下記一般式（１）、（２）で表わされるフラボン記糖体及び／またはイソフラボン配糖体の１種または２種以上を配合することを特徴とする皮膚外用剤」であり、上記イソフラボン配糖体を表す一般式（２）が記載されている。
一般式（２）（化学構造式は省略）
（式中Ｒ1＝Ｒ2＝ＯＣＨ2Ｏ、Ｒ3＝Ｈ、ＯＨ、Ｒ4＝Ｈ、ＯＨ、Ｒ5＝Ｏ−Ｇｌｕｃｏｓｅ、Ｏ−Ｇｌｕｃｏｓｅ‐Ｇｌｕｃｏｓｅ、Ｒ6＝ＨまたはＲ1＝Ｈ、ＯＨ、ＯＣＨ3、Ｒ2＝Ｈ、ＯＨ、ＯＣＨ3、Ｒ3＝Ｏ−Ｇｌｕｃｏｓｅ、Ｒ4＝Ｈ、ＯＨ、ＯＣＨ3、Ｒ5＝Ｈ、ＯＨ、ＯＣＨ3、Ｒ6＝Ｈ、ＯＨ、ＯＣＨ3である。）
　上記イソフラボン配糖体については、「本発明のフラボン配糖体及び／またはイソフラボン配糖体は、合成品でも天然の抽出物でもよい。」（第２頁左下欄第９〜第１１行）と記載されている。
　また「必要に応じて、本発明の効果を損なわない範囲で、化粧品、医薬部外品、医薬品などに一般に用いられる各種成分」（第３頁左上欄第４〜第６行）を配合することができる旨が記載されており、この各種成分として、「…、ポリエチレングリコール、グリセリン．ソルビトール、キシリトール、マルチトール、…（中略）…、ヒアルロン酸、コンドロイチン硫酸、…（中略）…、などの保湿剤、」（第３頁右上欄第８〜第１２行）、「モノラウリン酸ソルビタン、…（中略）…、ポリオキシエチレンアルキルエーテル、…（中略）…などの非イオン界面活性剤、」（第４頁左上欄第１４行〜右上欄第４行）が記載されている。
　さらに、第６頁左上欄第１９行〜右上欄第６行には、処方例４として以下に示すローションの処方が記載されている。
「処方例４」
１）グリセリン　　　　　　　　　　　　　　　　　　　４．０％
２）１，３−ブチレングリコール　　　　　　　　　　　４．０％
３）エタノール　　　　　　　　　　　　　　　　　　　７．０％
４）ポリオキシエチレンオレイルアルコール（２０モル）０．５％
５）イソフラボン−７−β−Ｄ−グルコシド　　　　　　０．０００２％
６）精製水　　　　　　　　　　　　　　　　　　　　　残余
　
刊行物３：特開平４−２３０３１７号公報（特許異議申立人森敏生の甲第３号証、特許異議申立人池野耕司の甲第５号証）
　刊行物３には「乳液状組成物」に係る発明が記載されており、請求項２には、（ａ）水不溶性有機酸もしくはその塩及び／又は無機塩と、（ｂ）キサンタンガム、（ｃ）カルボキシビニルポリマー及び（ｄ）生薬を含有することを特徴とする乳液状組成物が記載されている。
　上記生薬について、第２頁第１０段落第２〜第３行には「生薬としては、従来公知のものが用いられ、」と記載されており、第３頁第１１段落第２８行には「その粉末でも抽出エキスであってもよい。」と記載されている。
　また、第３頁第１２段落には、乳化状組成物に配合可能な種々の成分として「エステル系、エーテル系などのノニオン界面活性剤、アニオン界面活性剤」（第２〜第３行）、「グリセリン、ソルビトール、プロピレングリコール、ジプロピレングリコール、１，３−ブチレングリコール、ジプロピレングリコールなどの保湿剤」（第３〜第６行）、「キサンタンガム、カルボキシビニルポリマ一に加え、他の増粘剤」（第１０〜第１１行）が記載されている。
　さらに、第４頁第１５段落には、実施例３として以下に示す乳化状組成物の処方が記載されている。
キサンタンガム　　　　　　　　　　　　０．４
カルボキシビニルポリマーの　　　　　　０．１５
トリエタノールアミン中和物
生薬（アロエ粉末）　　　　　　　　　　０．５
クエン酸　　　　　　　　　　　　　　　０．１５
ＰＯＥ（３０）ステアリルエーテル　　　１．２
グリセリンモノステアレート　　　　　　０．５
ブチルアルコール　　　　　　　　　　　０．５
セトステアリルアルコール　　　　　　　０．６
パルミチン酸イソプロピル　　　　　　　６
ジメチルシリコン　　　　　　　　　　　３
ジプロピレングリコール　　　　　　　　５
Ｐ−オキシ安息香酸メチル　　　　　　　０．２
香料　　　　　　　　　　　　　　　　　適量
精製水　　　　　　　　　　　　　　　　残部
　
刊行物４：特開昭５８−２２５００４号公報（特許異議申立人池野耕司の甲第２号証）
  刊行物４の特許請求の範囲に記載は、「イソフラボン化合物から選択したダイズゼイン、ダイズヂン、ゲニスタイン、ゲニスチンから、その一種以上を含有させてなることを特徴とする美白化粧料」に係る発明が記載されている。
　上記イソフラボン化合物については、「本発明に用いるイソフラボン化合物は、その原料として、大豆やクズ根（日局：カッコン）などを用い、これから抽出したものが良い。」（第２頁右下欄第９〜第１２行）と記載されており、クズ根からのイソフラボン類の抽出については、「葛根１ｋｇをメタノールで数回熱時抽出し、抽出液を合して、減圧下に濃縮し、濃縮液に酢酸鉛の飽和水溶液を加え、黄色沈殿物を濾取し、メタノールの適量に懸濁し、硫化水素等を用いて、脱鉛を行い、減圧下に濾液を蒸発乾固して、淡黄色の粉末を得る。このものには、ダイズゼイン、ダイズヂン及びゲニスタイン、ゲニスチン等のイソフラボン化合物が主体に含まれている。」（第４頁左上欄第４〜第１２行）と記載されている。
　また、第４頁右下欄第１０〜第２０行には、処方例として以下に示す化粧水の処方が記載されている。
〔処方例〕
（１）化粧水
エタノール　　　　　　　　　　　９．０％
乳酸　　　　　　　　　　　　　　０．２
クエン酸　　　　　　　　　　　　０．９
ソルビット又はＵＢＣリキッド※　４．０
　　　　　　※酸性ムコ多糖体を含有するエキス
ゲニスチン　　　　　　　　　　　０．０２
ゲニスタイン　　　　　　　　　　０．０３
メチルパラベン　　　　　　　　　０．１
香料　　　　　　　　　　　　　　０．１
精製水　　　　　　　　　　　　　全量１００
　
刊行物５：ＵＢＣリキッドの製品案内（特許異議申立人池野耕司の甲第３号証）
　刊行物５は「ＵＢＣリキッド」の製品案内であり、第２頁第２〜第６行には、ＵＢＣリキッドの組成について以下のように記載されている。
「ＵＢＣリキッドは、臍帯（Ｔａｃｔａｎｉｓ Ｕｍｂｉｌｉｃｉ）をもとに、アルカリ溶液で加温抽出したのち、除蛋白処理操作を行い、濃縮精製化されたエキスを２〜３％含有することを特長とする、微淡黄色の透明な水溶液で、その主な含有成分は、ムコ多糖体（Ｍｕｃｏｐｏｌｙｓａｃｃｈａｒｉｄｅｓ）です。−（特許出願中）−
＊本品に含まれるムコ多糖体としての含有量は、０．１〜０．２％で、そのほとんどは、酸性ムコ多糖体（ヒアルロン酸、コンドロイチン硫酸）です。」
    　
（４）対比・判断
ａ．特許法第２９条第１項、第２項について
　　
ａ−１．請求項１に係る発明（以下、本件発明という。）と刊行物１の発明を対比すると、両者は葛根（カッコン）抽出物を含有する化粧料である点で一致するが、前者（本件発明）は皮膚化粧料であるのに対し、後者（刊行物１の発明）は養毛料であって、適用部位が異なり、使用する界面活性剤についても、前者は水溶性非イオン性界面活性剤であるのに対し、後者はアニオン性界面活性剤及びアニオン性界面活性剤以外で分子内に窒素原子を有する界面活性剤である。
　また、前者は特定の水溶性多糖類を必須成分とするのに対し、後者は任意成分として記載されているに過ぎない。
　刊行物１の実施例２０のヘアートニックは本件発明の成分（Ａ）の葛根抽出物及び成分（Ｃ）に相当するヒアルロン酸ナトリウムを含んでいるが、本件発明の成分（Ｂ）を含まないものであって、本件特許明細書の表１の比較品２に相当するものであり、仮に皮膚に使用しても、葛根抽出物の溶解性、外観及び使用感等の点で、本件発明と同等の効果を奏するとは認められない。
　
ａ−２．本件発明と刊行物２の発明はいずれも皮膚化粧料ではあるが、本件発明は成分（Ａ）葛根抽出物を使用するのに対し、刊行物２の発明は二オイイリス等からの抽出物を濃縮、精製して得られる一般式（１）、（２）で表わされるフラボン配糖体及び／またはイソフラボン配糖体を使用するものであり、さらに本件発明では水溶性非イオン性界面活性剤及び特定の水溶性多糖類を必須成分として含むのに対し、刊行物２には界面活性剤及び特定の水溶性多糖類は任意成分として記載されているだけである。
　そして、葛根抽出物には種々の成分が共存しており、本件発明における葛根抽出物と、刊行物２の一般式（１）、（２）で表わされるフラボン配糖体及び／またはイソフラボン配糖体とが同等のものであるとはいえない。刊行物２には、ヒアルロン酸、コンドロイチン硫酸等の保湿剤及びポリオキシエチレンアルキルエーテル等の非イオン界面活性剤は、フラボン配糖体及び／またはイソフラボン配糖体に配合する任意成分として、それぞれ独立に挙げられているに過ぎず、葛根抽出物に水溶性非イオン性界面活性剤及び特定の水溶性多糖類を配合して葛根抽出物の溶解性を高める本件発明を、刊行物２記載された発明から当業者が容易に想到できるととはいえない。
　
ａ−３．刊行物３には、生薬およびキサンタンガムを含む化粧料が記載されているだけで、葛根抽出物を含有し、水溶性非イオン性界面活性剤を必須成分とする皮膚化粧料については、記載も示唆もされていない。そして、刊行物３における生薬として葛根抽出物を用いることを、当業者が容易に想到できるとする根拠は見出せない。
　
ａ−４．本件発明と刊行物４の発明は、いずれも皮膚化粧料であり、後者の処方例（２）には葛根抽出物を含有するローションが開示されている。しかしこのローションは、本件発明の成分（Ｂ）の水溶性非イオン性界面活性剤及び成分（Ｃ）の特定の水溶性多糖類のいずれも含有していないものであって、本件特許明細書の表１の比較品３および４に相当するものであり、外観及び使用感等の点で本件発明と同等の効果を奏するとは認められない。また、処方例（４）のコールドクリームも、葛根抽出物及びソルビタンモノオレエートを含有するが、水溶性多糖類（本件発明の成分（Ｃ））を含有していないものであり、同様に本件発明と同等の効果を奏するとは認められない。
　
ａ−５．刊行物５には、ＵＢＣリキッドの主要成分がヒアルロン酸、コンドロイチン硫酸であること、及びＵＢＣリキッドは肌のしわを防ぎ、老化を防ぐことが記載されているだけで、本件発明に直接関連する具体的な記載はない。
　
　したがって、請求項１に係る発明は、刊行物１〜５に記載された発明とはいえず、また刊行物１〜５に記載された発明に基づいて当業者が容易に発明できたものであるすることもできない。
　
　また、請求項２に係る発明は、請求項１に係る発明に更にポリオールを配合するもので、上記と同様な理由により、刊行物１〜５に記載された発明ではなく、また刊行物１〜５に記載された発明に基づいて当業者が容易発明できたものであるとすることもできない。
　
ｂ．特許法第３６条について
　特許異議申立人森敏生が主張する明細書の記載不備について、以下に検討する。　
ｂ−１．本件特許では葛根抽出物の乾燥粉末のみ検討されており、抽出液についての試験がされていない点については、本件発明の目的及び効果からみて、乾燥粉末で有効ではあっても抽出液で有効ではないとすべき格別の理由もないので、この点において明細書の記載が不備であるとはいえない。
ｂ−２．ゼラチンが、多糖類ではなくタンパク質である点は、特許異議申立人の指摘するとおりであるが、訂正請求によりゼラチンは削除されているので、不備は解消した。
ｂ−２．キサンタンガム以外の本件発明で特定する多糖類については実施例はないものの、これらが同等の効果を奏し得ないとすべき格別の根拠もなく、このことは特許異議意見書における「実施例１の本発明品１のキサンタンガムに替えて、カラギーナン、キチン、ヒアルロン酸及びコンドロイチン硫酸ナトリウムを使用した化粧水の評価は何れも○であり、何れも本件特許発明の効果を示した。」との開示からも支持されるので、この点において明細書の記載が不備であるとはいえない。
記載不備４：特許請求の範囲には（Ｂ）成分の界面活性剤が水溶性であることが明記されているから、実施例中でＰＯＥの付加モル数が明記されていないことによって当業者が本件発明を容易に実施できないとはいえず、また実施例２の配合例のものが、他の実施例と異なる挙動を示すとすべき格別の理由もないので、実施例２においてテトラオレイン酸ポリオキシエチレンソルビットのＰＯＥの付加モル数が示されず、また葛根エキスの溶解性が増したとの具体的記載がないことをもって、当業者が本件発明を容易に実施できないような記載不備があるとはいえない。
　
　したがって、本件特許明細書の記載は特許法第３６条に規定する要件を満足していないとの主張は採用できない。
　
４．むすび
　以上のとおりであるから、特許異議申立ての理由及び証拠によっては、本件特許の請求項１及び２に係る発明についての特許を取り消すことができない。
　また、他に本件特許の請求項１及び２に係る発明についての特許を取り消すべき理由を発見しない。
　よって、結論のとおり決定する。
【異議決定日】
平成１４年８月１２日（２００２．８．１２）
【訂正の要旨】
訂正の要旨
（１）訂正事項
　ａ．特許請求の範囲の減縮を目的として、特許明細書の特許請求の範囲を次のように訂正する。（下線部が訂正個所）
「（請求項１）次の成分（Ａ）〜（Ｃ）：
（Ａ）葛根抽出物、
（Ｂ）
水溶性非イオン性
（Ｃ）キサンタンガム、カラギーナン
、
皮膚
（請求項２）次の成分（Ａ）〜（Ｄ）：
（Ａ）葛根抽出物、
（Ｂ）
水溶性非イオン性
（Ｃ）キサンタンガム、カラギーナン
、
（Ｄ）ポリオール
を含有する
皮膚
　ｂ．明りょうでない記載の釈明を目的として、特許明細書中、第２頁の段落「０００４」を次のように訂正する。
「すなわち、本発明は、次の成分（Ａ）〜（Ｃ）：
（Ａ）葛根抽出物、
（Ｂ）
水溶性非イオン性
（Ｃ）キサンタンガム、カラギーナン
、
皮膚
　ｃ．明りょうでない記載の釈明を目的として、特許明細書中、第２頁の段落「０００５」を次のように訂正する。
「本発明で用いられる（Ａ）成分の葛根抽出物としては、葛根（ＰＵＥＲＡＲＩＡＥ　ＲＡＤＩＸ）を水、エタノール、メタノール、１，３−ブチレングリコール、プロピレングリコール等の溶媒又はこれらの混合溶媒で抽出して得られる抽出液、当該抽出液を乾燥して得られる乾燥粉
末
　ｄ．明りょうでない記載の釈明を目的として、特許明細書中、第２頁の段落「００１１」を次のように訂正する。
「（Ｃ）成分は、キサンタンガム、カラギーナン
、
（５４）【発明の名称】
化粧料
（５７）【特許請求の範囲】
　【請求項１】　次の成分（Ａ）〜（Ｃ）：
（Ａ）葛根抽出物、
（Ｂ）水溶性非イオン性界面活性剤、
（Ｃ）キサンタンガム、カラギーナン、キチン、ヒアルロン酸、コンドロイチン硫酸ナトリウムの群から選ばれる水溶性多糖類
を含有する皮膚化粧料。
　【請求項２】　次の成分（Ａ）〜（Ｄ）：
（Ａ）葛根抽出物、
（Ｂ）水溶性非イオン性界面活性剤、
（Ｃ）キサンタンガム、カラギーナン、キチン、ヒアルロン酸、コンドロイチン硫酸ナトリウムの群から選ばれる水溶性多糖類、
（Ｄ）ポリオール
を含有する皮膚化粧料。
【発明の詳細な説明】
　【０００１】
　【産業上の利用分野】
　本発明は、葛根抽出物の溶解性を高めて含有する化粧料に関する。
　【０００２】
　【従来の技術及び発明が解決しようとする課題】
　葛根抽出物は、感冒薬や美白化粧料に配合され、その作用が利用されている。しかしながら、葛根抽出物は水に溶解した場合に不溶成分が多いため、特に化粧料に配合すると、外観や使用感の面で問題があった。従って、葛根抽出物を配合しても、外観や使用感に優れた化粧料が望まれていた。
　【０００３】
　【課題を解決するための手段】
　かかる実情において、本発明者らは鋭意研究を行った結果、葛根抽出物と、界面活性剤及び特定の水溶性多糖類を組合わせて用いれば、葛根抽出物の溶解性が向上し、外観及び使用感に優れた化粧料が得られることを見出し、本発明を完成した。
　【０００４】
　すなわち、本発明は、次の成分（Ａ）〜（Ｃ）：
（Ａ）葛根抽出物
（Ｂ）水溶性非イオン性界面活性剤
（Ｃ）キサンタンガム、カラギーナン、キチン、ヒアルロン酸、コンドロイチン硫酸ナトリウムの群から選ばれる水溶性多糖類
を含有する皮膚化粧料を提供するものである。
　【０００５】
　本発明で用いられる（Ａ）成分の葛根抽出物としては、葛根（ＰＵＥＲＡＲＩＡＥ　ＲＡＤＩＸ）を水、エタノール、メタノール、１，３−ブチレングリコール、プロピレングリコール等の溶媒又はこれらの混合溶媒で抽出して得られる抽出液、当該抽出液を乾燥して得られる乾燥粉末を用いることができる。
　【０００６】
　ここで、葛根の特に好ましい抽出方法としては、例えば、次の製造法１又は製造法２で示される方法が挙げられる。
（製造法：１）葛根の切り刻んだ乾燥物１ｋｇに対して、５倍量のエタノール又はメタノールを加え、９０℃、６時間の還流抽出を行い、濾過を行い、濾液を減圧濃縮、乾燥を行い、粉末（本発明に規定する抽出物）を得ることができる。収量は、抽出溶媒がエタノールのとき、５７〜６３ｇ、メタノールを用いたとき、９０〜１１０ｇ程度が得られる。
（製造法：２）葛根の切り刻んだ乾燥物１ｋｇに対して、５倍量のエタノール又はメタノールを加え、時々撹拌を行い、３日間程度、常温に保存後、濾過を行い、濾液を減圧濃縮し、乾燥して粉末（本発明に規定する抽出物）を得る。収量は、エタノールを用いたときでは、３０〜５０ｇ、メタノールを用いたときでは、９０〜１００ｇ程度が得られる。
　【０００７】
　これらの製造法（抽出）によって得られた抽出物は、糖類及びプエラリンを高含有することを特徴とし、糖類をサッカロースとして換算すれば、下限２０％、上限４５％程度の範囲内にある。また、プエラリンとしては、２０〜４０％の範囲のものが得られる。
　【０００８】
　本発明において、（Ａ）成分は全組成中に、乾物換算で０．００１〜１０重量％（以下、単に％で示す）、特に０．０１〜５％配合するのが好ましい。
　【０００９】
　また、（Ｂ）成分の界面活性剤としては、水溶性の非イオン性界面活性剤が好ましく、例えばポリオキシエチレンアルキルエーテル、ポリオキシエチレン脂肪酸エステル、ポリオキシエチレンソルビタン脂肪酸エステル、グリセリン脂肪酸エステル、ポリグリセリン脂肪酸エステル、ポリオキシエチレングリセリン脂肪酸エステル、ポリオキシエチレン硬化ヒマシ油、ポリオキシエチレンソルビトール脂肪酸エステル、モノステアリン酸ポリエチレングリコール、ショ糖脂肪酸エステルなどが挙げられる。
　【００１０】
　これらの界面活性剤は１種又は２種以上を組合わせて用いることができ、全組成中に０．０５〜２０％、特に０．１〜５％配合するのが好ましい。
　【００１１】
　（Ｃ）成分は、キサンタンガム、カラギーナン、キチン、ヒアルロン酸、コンドロイチン硫酸ナトリウムの群から選ばれる水溶性多糖類である。これらの水溶性多糖類は、全組成中に０．０１〜５％、特に０．０５〜１％配合するのが好ましい。
　【００１２】
　また、本発明の化粧料には、さらにポリオールを配合すると、葛根抽出物の溶解性が更に向上し、界面活性剤、水溶性多糖類の配合量を減少させることができるので好ましい。かかるポリオールとしては、水酸基を２個以上有する水溶性の物質で、例えばエチレングリコール、ジエチレングリコール、トリエチレングリコール、ポリエチレングリコール、プロピレングリコール、ジプロピレングリコール、ポリプロピレングリコール；１，３−ブチレングリコール、１，４−ブチレングリコール等のブチレングリコール類；グリセリン、ジグリセリン；ソルビトール、マンニトール、キシリトール、マルチトール等の糖アルコール類などが挙げられる。
　【００１３】
　これらのポリオールは、全組成中に０．１〜３０％、特に１〜２０％配合するのが好ましい。
　【００１４】
　さらに、本発明の化粧料には、前記必須成分以外に、通常の化粧料に配合される成分、例えば精製水、エタノール、油性物質、保湿剤、増粘剤、防腐剤、乳化剤、薬効成分、粉体、紫外線吸収剤、色素、香料、乳化安定剤、ｐＨ調整剤等を、本発明の効果を損わない範囲で適宜配合することができる。具体的には、油性成分としては流動パラフィン、ワセリン、パラフィンワックス、スクワラン、ミツロウ、カルナウバロウ、オリーブ油、ラノリン、高級アルコール、脂肪酸、高級アルコールと脂肪酸の合成エステル油、シリコーン油等が挙げられ、保湿剤としてはピロリドンカルボン酸ナトリウム、乳酸、乳酸ナトリウム、ポリオキシプロピレン脂肪酸エステル、ポリエチレングリコール等が挙げられ、増粘剤としてはカルボキシビニルポリマー、カルボキシメチルセルロース、ポリビニルアルコール等の水溶性高分子、塩化ナトリウム、塩化カリウム等の電解質などが挙げられ、防腐剤としては尿素、メチルパラベン、エチルパラベン、プロピルパラベン、ブチルパラベン、安息香酸ナトリウム等が挙げられ、粉体としてはタルク、セリサイト、マイカ、カオリン、シリカ、ベントナイト、バーミキュライト、亜鉛華、雲母、雲母チタン、酸化チタン、酸化マグネシウム、酸化ジルコニウム、硫酸バリウム、ベンガラ、酸化鉄、群青等が挙げられる。
　【００１５】
　本発明の化粧料は、常法に従って製造することができ、その剤型はその目的に応じて任意に選択することができ、クリーム状、軟膏状、乳液状、ローション状、溶液状、ゲル状、パック状、スティック状等とすることができる。
　【００１６】
　【発明の効果】
　本発明の化粧料は、葛根抽出物の溶解性が高められており、外観及び使用感に優れたものであり、葛根抽出物の有する美白作用を効率良く発揮させることができる。
　【００１７】
　【実施例】
　次に実施例により本発明を更に説明するが、本発明はこれらによって何ら限定されるものではない。
　【００１８】
　実施例１表１に示す組成の化粧水を製造し、溶解性及び使用感について評価した。結果を表１及び表２に示す。
（製法）葛根抽出末を水に分散させた懸濁液を、その他の成分の混合物に、撹拌しながら徐々に加え、均一に溶解するまで撹拌した。
（評価）
溶解性：得られた化粧水について目視により下記の基準で評価した。
　　◎：透明○：やや懸濁△：透明性向上×：沈澱
　【００１９】
　使用感：
　専門パネラー１０名により、本発明品と比較品４との使用感を比較し、全体の感触、べたつきのなさ、きしみ感のなさ及びすべりの良さについて以下に示す５段階で評価した。結果を１０名の平均値として表２に示す。
　　５：本発明品の方がよい
　　４：本発明品の方がややよい
　　３：どちらともいえない
　　２：比較品の方がややよい
　　１：比較品の方がよい
　【００２０】
　【表１】
　【００２１】
　【表２】
　【００２２】
　表１及び表２の結果から明らかなように、本発明の化粧水は溶解性が向上したものであり、しかも使用感に優れたものであった。
　【００２３】
実施例２　美容液（エッセンス）：
　下記の組成の美容液を、実施例１と同様にして製造した。
　【表３】
　　（１）葛根抽出末＊　　　　　　　　　　　　　　　　　　　２．０（％）
　　（２）テトラオレイン酸ポリオキシエチレンソルビット　　　１．０
　　（３）キサンタンガム　　　　　　　　　　　　　　　　　　０．２
　　（４）グリセリン　　　　　　　　　　　　　　　　　　　　４．０
　　（５）１，３−ブチレングリコール　　　　　　　　　　　　２．０
　　（６）エタノール　　　　　　　　　　　　　　　　　　　　３．０
　　（７）クエン酸ナトリウム　　　　　　　　　　　　　　　　１．０
　　（８）エデト酸四ナトリウム　　　　　　　　　　　　　　　０．１
　　（９）防腐剤　　　　　　　　　　　　　　　　　　　　　　適量
　　（１０）精製水　　　　　　　　　　　　　　　　　　　　　残量
　　（１１）香料　　　　　　　　　　　　　　　　　　　　　　適量
　　＊：一丸ファルコス（株）製、カッコンエキスパウダー